(57)【要約】【課題】ビルディング等の構造物の屋上の防水性を損なわず、しかも、架台形態を大型化することなく、ソーラーパネルを確実に、かつ強固に支持することのできるソーラーパネルの支持構造を提供する。【解決手段】ソーラーパネル１を設置しているビルディングＢの屋上Ｂ１の床面を除いた非床面箇所で、かつ、そのソーラーパネル１を中間にした両側にそれぞれ設けられる取付ボルト１１ａ，１１ｂと、ソーラーパネル１の上面に当接されるとともに、両端側が前記取付ボルト１１ａ，１１ｂにそれぞれ取り付けられるワイヤ１２とからなる。【選択図】図１
2015059360.tif 000002
【特許請求の範囲】
【請求項１】
構造物の屋上に設置されるソーラーパネルを支持するソーラーパネルの支持構造であって、
前記ソーラーパネルを設置している構造物の屋上の床面を除いた非床面箇所で、かつ、そのソーラーパネルを中間にした両側にそれぞれ設けられる取付部と、
前記ソーラーパネルの上面に当接されるとともに、両端側が前記取付部にそれぞれ取り付けられる紐状物と、
からなることを特徴とするソーラーパネルの支持構造。
【請求項２】
前記紐状物と接する前記ソーラーパネルの上面の両端側には、保護部材がそれぞれ設けられることを特徴とする請求項１に記載のソーラーパネルの支持構造。
【請求項３】
前記紐状物は、前記ソーラーパネルの傾斜面の傾斜方向に沿って張設されることを特徴とする請求項１又は２に記載のソーラーパネルの支持構造。
【請求項４】
前記紐状物は、所定の間隔を保って複数本設けられていることを特徴とする請求項１から３のいずれかに記載のソーラーパネルの支持構造。
【請求項５】
構造物の屋上に設置されるソーラーパネルを支持するソーラーパネルの支持構造であって、
前記ソーラーパネルを設置している構造物の屋上の床面を除いた非床面箇所で、かつ、そのソーラーパネルを中間にした両側にそれぞれ設けられる取付部と、
前記ソーラーパネルを載置している架台に取り付けられるとともに、両端側が前記取付部にそれぞれ取り付けられる紐状物と、
からなることを特徴とするソーラーパネルの支持構造。
【発明の詳細な説明】
【技術分野】
【０００１】
本発明は、ビルディング等の構造物の屋上に設置されるソーラーパネルに好適なソーラーパネルの支持構造に関する。
【背景技術】
【０００２】
この種の構造物の屋上に設置されるソーラーパネルは、特許文献１に示されるように、構造物の屋上にプレート部材を載置し、その載置されたプレート上にレール部材等からなる架台を取り付け、その取り付けられた架台上にソーラーパネルを取り付けるようにしている。また、構造物の屋上のような水平面に設置されるソーラーパネルは、太陽光を効率よく受光するために、ソーラーパネルの表面が傾斜するようにして設置される。
【０００３】
このように、ソーラーパネルが傾斜して設置される場合は、ソーラーパネルの裏面に風が進入し易くなるので、強風の場合にソーラーパネルに浮力が生じて設置状態が不安定になってしまう。このため、ソーラーパネルは、風圧に十分に耐え得るように支持されている。
【先行技術文献】
【特許文献】
【０００４】
【特許文献１】特開２０１２−１２７７８号公報
【発明の概要】
【発明が解決しようとする課題】
【０００５】
しかしながら、ソーラーパネルを設置面に強固に支持しようとする場合は、架台下部に設けられているプレートをアンカーボルトで床面に固定することが考えられる。しかし、アンカーボルトを用いた場合は、床面に施されている防水層に加工を施すことになるので、構造物の屋上の防水性が損なわれるおそれが生じてしまう。また、このような欠点を解決するために、架台の形態を大きくして架台重量を増加させることも考えられるが、架台形態の大型化はコスト高になる等の新たな問題点を招来してしまう。
【０００６】
本発明は、上述する問題点に鑑みてなされたもので、ビルディング等の構造物の屋上の防水性を損なわず、しかも、架台形態を大型化することなく、ソーラーパネルを確実に、かつ強固に支持することのできるソーラーパネルの支持構造を提供することを目的とする。
【課題を解決するための手段】
【０００７】
上記目的を達成するため、本発明に係るソーラーパネルの支持構造では、構造物の屋上に設置されるソーラーパネルを支持するソーラーパネルの支持構造であって、前記ソーラーパネルを設置している構造物の屋上の床面を除いた非床面箇所で、かつ、そのソーラーパネルを中間にした両側にそれぞれ設けられる取付部と、前記ソーラーパネルの上面に当接されるとともに、両端側が前記取付部にそれぞれ取り付けられる紐状物と、からなることを特徴としている。
【０００８】
本発明に係るソーラーパネルの支持構造によれば、ソーラーパネルの上面は、構造物の屋上の床面を除いた非床面箇所に設けられる取付部に取り付けられる紐状物で支持されるので、構造物の屋上の床面に施されている防水層の防水性を損なわずにソーラーパネルを確実に、かつ強固に支持することができる。
【０００９】
本発明に係るソーラーパネルの支持構造は、前記紐状物と接する前記ソーラーパネルの上面の両端側には、保護部材がそれぞれ設けられることが好ましい。
【００１０】
この場合には、紐状物が保護部材を介してソーラーパネルを支持するため、紐状物がソーラーパネルの上面に直接接することなく配置させることができ、ソーラーパネルへの押し付け等による悪影響を与えることがない。
【００１１】
本発明に係るソーラーパネルの支持構造は、前記紐状物は、前記ソーラーパネルの傾斜面の傾斜方向に沿って張設されることが好ましい。
【００１２】
本発明によれば、紐状物は、ソーラーパネルの傾斜面の傾斜方向に沿って張設されるので、ソーラーパネルの支持効果を高めることができる。
【００１３】
本発明に係るソーラーパネルの支持構造は、前記紐状物は、所定の間隔を保って複数本設けられていることが好ましい。
【００１４】
本発明によれば、紐状物は複数本なので、ソーラーパネルの支持効果をより高めることができる。
【００１５】
また、本発明に係るソーラーパネルの支持構造は、構造物の屋上に設置されるソーラーパネルを支持するソーラーパネルの支持構造であって、前記ソーラーパネルを設置している構造物の屋上の床面を除いた非床面箇所で、かつ、そのソーラーパネルを中間にした両側にそれぞれ設けられる取付部と、前記ソーラーパネルを載置している架台に取り付けられるとともに、両端側が前記取付部にそれぞれ取り付けられる紐状物と、からなることを特徴としている。
【００１６】
本発明によれば、ソーラーパネルの架台は、構造物の屋上の床面を除いた非床面箇所に設けられる取付部に取り付けられる紐状物で支持されるので、構造物の屋上の床面に施されている防水層の防水性を損なわずにソーラーパネルを確実に、かつ強固に支持することができる。
【発明の効果】
【００１７】
本発明に係るソーラーパネルの支持構造は、構造物の屋上の床面を除いた非床面箇所に設けられる取付部に取り付けられる紐状物で支持することができるので、構造物の屋上の床面に施されている防水層の防水性を損なわずにソーラーパネルを確実に、かつ強固に支持することができる。
【図面の簡単な説明】
【００１８】
【図１】本発明の実施の形態によるソーラーパネルの支持構造の側面図である。
【図２】図１に示すソーラーパネルの支持構造の平面図である。
【図３】本発明の他の実施の形態によるソーラーパネルの支持構造の平面図である。
【図４】本発明のさらに他の実施の形態によるソーラーパネルの支持構造  の側面図である。
【発明を実施するための形態】
【００１９】
以下、本発明の実施の形態について図面を用いて説明する。なお、本発明は、この実施の形態により限定されるものではなく、また、下記の実施の形態における構成要素には、当業者が置換可能かつ容易なもの、あるいは実質的に同一ものも含まれる。
【００２０】
（第１の実施の形態）
図１は、本第１の実施の形態によるソーラーパネルの支持構造１０の側面図、図２は、その平面図である。本発明のソーラーパネルの支持構造１０について説明する前に、本発明の構造物に相当するビルディングＢ及びソーラーパネル１について説明する。
【００２１】
ビルディングＢは、屋上Ｂ１が平面状にコンクリートが打設して形成されているとともに、その屋上Ｂ１の周囲には、所定高さのパラペットＢ２が屋上Ｂ１と一体的に形成されている。そして、屋上Ｂ１の表面及びパラペットＢ２の内側表面には、周知のビルディングの屋上に施されていると同様の防水塗料からなる防水層Ｂ３が形成されている。
【００２２】
ソーラーパネル１は、周知のソーラーパネルと同様に、太陽光が照射されると発電する多数のセルを並設して構成されるとともに、所定の平面積を有し、平面形状が矩形の太陽電池モジュール２を有している。そして、この太陽電池モジュール２は、屋上Ｂ１の表面に施されている防水層Ｂ３の上に載置されている複数のプレート３，３上に設けられている複数の架台４ａ，４ｂ上に取り付けられている。
【００２３】
複数の架台４ａ，４ｂのうち、第１架台４ａの長さは、第２架台４ｂよりも長くなるように構成されている。すなわち、第１架台４ａ及び第２架台４ｂの長さは、太陽電池モジュール２の表面が太陽光の光線を効率よく受光できるように、屋上Ｂ１の床面（水平面）に対して所定角度の傾斜が付されるように決められている。なお、図２中の（高）は、第１架台４ａ側を示し、（低）は、第２架台４ｂ側を示している。後述の図３も同様である。
【００２４】
以下、上述のようにビルディングＢの屋上Ｂ１に設置されるソーラーパネル１を支持する支持構造１０について説明する。この支持構造１０は、取付ボルト１１ａ，１１ｂ（取付部）、ワイヤ１２（紐状物）及び当て部材１３ａ，１３ｂ（保護部材）で構成されている。
【００２５】
取付ボルト１１ａ，１１ｂのうち、一方の取付ボルト１１ａは、ソーラーパネル１を中間にした一方側（図１において左側）のパラペットＢ２に埴設され、他方の取付ボルト１１ｂは、ソーラーパネル１を中間にした他方側のパラペットＢ２に埴設されている。
【００２６】
これら取付ボルト１１ａ，１１ｂは、図２に示されるように、ソーラーパネル１の平面内で複数組設けられている。図示の例では、ソーラーパネル１の中央部及び左右両側の３組とされている。なお、取付ボルト１１ａ，１１ｂの組数は、中央部の１組、又は左右両側の２組とすることもできるが、図示のように３組とした場合は、ソーラーパネル１を確実に、かつ安定して強固に支持することができる。もちろん、取付ボルト１１ａ，１１ｂの組数は、４組以上とすることもできる。
【００２７】
ワイヤ１２は、鋼製からなり、ソーラーパネル１の表面側で、かつ相対する取付ボルト１１ａ，１１ｂ間に掛け渡されるように構成されている。そして、このワイヤ１２の途中で、ソーラーパネル１の表面から離れた位置には、ワイヤ１２の張力を調整するための周知のターンバックル１４が設けられている。なお、ワイヤ１２は、所定の強度を有していけば、合成樹脂製等の鋼製以外の紐状物とすることもできる。
【００２８】
当て部材１３ａ，１３ｂは、ワイヤ１２の張設方向と交差し、かつソーラーパネル１表面側の両端部（図１において左右両端部）に設けられている。すなわち、この当て部材１３ａ，１３ｂは、長尺状のＬ型材からなるとともに、ソーラーパネル１に対して損傷を与えない材質からなり、ソーラーパネル１とワイヤ１２との間に設けられるように構成されている。したがって、ワイヤ１２に張力が掛かった場合でも、ソーラーパネル１に悪影響を与えることがない。
【００２９】
上記構成からなるソーラーパネルの支持構造１０は、パラペットＢ２に埴設される取付ボルト１１ａ，１１ｂ間に掛け渡されるワイヤ１２でソーラーパネル１の上面側が支持されるので、ビルディングＢの屋上Ｂ１に施されている防水層Ｂ３の防水性を損なわずにソーラーパネル１を確実に、かつ強固に支持することができる。したがって、強風が吹いても、あるいは大きな地震があっても、ソーラーパネル１の設置状態を安定に保つことができる。
【００３０】
（第２の実施形態）
図３は、本発明の他の実施の形態によるソーラーパネルの支持構造の平面図であり、このソーラーパネルの支持構造が上述したソーラーパネルの支持構造と異なる点は、ソーラーパネル１に対するワイヤ１２の張設方向にある。
【００３１】
すなわち、本実施の形態によるソーラーパネル１の支持構造１０におけるワイヤ１２の張設方向は、図３に示されるように、ソーラーパネル１の傾斜方向と交差するように設けられている。したがって、ワイヤ１２を取り付けるための取付ボルト１１ａ，１１ｂは、ソーラーパネル１の傾斜方向と交差する側のパラペットＢ２に埴設される。
【００３２】
上記構成からなるソーラーパネルの支持構造１０においても、パラペットＢ２に埴設される取付ボルト１１ａ，１１ｂ間に掛け渡されるワイヤ１２でソーラーパネル１の上面側が支持されるので、ビルディングＢの屋上Ｂ１に施されている防水層Ｂ３の防水性を損なわずにソーラーパネル１を確実に、かつ強固に支持することができる。
【００３３】
（第３の実施形態）
図４は、本発明のさらに他の実施形態によるソーラーパネルの支持構造の側面図であり、このソーラーパネルの支持構造が上述した図１及び図２に示されるソーラーパネルの支持構造と異なる点は、ソーラーパネル１に対するワイヤ１２の取り付け位置にある。
【００３４】
すなわち、この実施形態によるソーラーパネルの支持構造１０におけるワイヤ１２の取り付け位置は、図４に示されるように、ソーラーパネル１の架台４ａ，４ｂに取り付けられる。したがって、ワイヤ１２がソーラーパネル１の太陽電池モジュール２に接しないので、上述した当て部材１３ａ，１３ｂは省略される。なお、図４中のワイヤ１２と架台４ａ，４ｂとの接する箇所の黒丸は、ワイヤ１２が架台４ａ，４ｂにクランプを用いて固定されている状態を示している。
【００３５】
上記構成からなるソーラーパネルの支持構造１０においても、パラペットＢ２に埴設される取付ボルト１１ａ，１１ｂ間に掛け渡されるワイヤ１２でソーラーパネル１が支持されるので、ビルディングＢの屋上Ｂ１に施されている防水層Ｂ３の防水性を損なわずにソーラーパネル１を確実に、かつ強固に支持することができる。しかも、ワイヤ１２がソーラーパネル１の太陽電池モジュール２に接しないので、太陽電池モジュール２に悪影響を与えない効果を有することができる。
【００３６】
なお、上述の例では、ワイヤ１２は、ソーラーパネル１の傾斜方向と同方向に沿って張設されているが、ワイヤ１２の張設方向は、上述した図３と同様に、ソーラーパネル１の傾斜方向に対して交差する方向に沿って張設される場合であってもよい。この場合でも、ワイヤ１２がソーラーパネル１の傾斜方向と同方向に沿って張設されていると同様の効果を得ることができる。
【００３７】
以上、本発明によるソーラーパネルの支持構造の実施の形態について説明したが、本発明は上記の実施の形態に限定されるものではなく、その趣旨を逸脱しない範囲で適宜変更可能である。
【符号の説明】
【００３８】
Ｂ  ビルディング（構造物）
Ｂ１  屋上
Ｂ２  防水層  
Ｂ３  パラペット
１  ソーラーパネル
２  太陽電池モジュール
３  プレート
４ａ，４ｂ  架台
１０  ソーラーパネルの支持構造
１１ａ，１１ｂ  取付ボルト（取付部）
１２  ワイヤ（紐状物）
１３ａ，１３ｂ  当て部材（保護部材）
１４  ターンバックル
【図１】
2015059360.tif 000003
【図２】
2015059360.tif 000004
【図３】
2015059360.tif 000005
【図４】
2015059360.tif 000006